(57)【要約】本開示は、概して、無線通信に関し、より具体的には、ＲＲＣ非アクティブ状態からのＲＲＣ再開およびＲＲＣ再確立を含む、ネットワーク共有構成における無線リソース制御（ＲＲＣ）接続管理のためのシステムおよび方法に関する。一実施形態では、通信ノードによって実施される方法は、通信デバイスと以前の通信ノードとの間の以前の接続と関連付けられる現在の接続を確立するための要求を通信デバイスから受信するステップであって、要求は、通信デバイス認証情報を備える、ステップと、通信ノード認証情報が通信デバイス認証情報に合致することの決定に基づいて、現在の接続を確立するステップであって、通信ノード認証情報は、入力パラメータの所定のサブセットに基づき、決定は、通信ノードまたは以前の通信ノードにおいて実施される、ステップとを含む。
2022501926.tif 000002
【特許請求の範囲】
【請求項１】
通信ノードによって実施される方法であって、
通信デバイスと以前の通信ノードとの間の以前の接続と関連付けられる現在の接続を確立するための要求を通信デバイスから受信することであって、前記要求は、通信デバイス認証情報を備える、ことと、
通信ノード認証情報が前記通信デバイス認証情報に合致することの決定に基づいて、前記現在の接続を確立することであって、前記通信ノード認証情報は、入力パラメータの所定のサブセットに基づいており、前記決定は、前記通信ノードまたは前記以前の通信ノードにおいて実施される、ことと
を含む、方法。
【請求項２】
前記以前の通信ノードからのハンドオーバ要求メッセージの受信に応答して、前記決定を実施することをさらに含む、請求項１に記載の方法。
【請求項３】
前記現在の接続は、無線リソース制御（ＲＲＣ）接続である、請求項１に記載の方法。
【請求項４】
前記通信ノード認証情報は、それぞれが前記入力パラメータの所定のサブセットに基づく複数の通信ノード認証情報セットのうちの１つであり、前記決定は、前記複数の通信ノード認証情報セットのうちの１つに合致する前記通信デバイス認証情報に基づく、請求項１に記載の方法。
【請求項５】
前記入力パラメータの所定のサブセットは、前記通信ノードまたは前記以前の通信ノードのいずれかのシステム情報からの地上波公共移動通信ネットワーク値に基づく、請求項１に記載の方法。
【請求項６】
前記地上波公共移動通信ネットワーク値は、最大地上波公共移動通信ネットワーク値、最小地上波公共移動通信ネットワーク値、および最小インデックス値と関連付けられる地上波公共移動通信ネットワーク値のうちの少なくとも１つである、請求項５に記載の方法。
【請求項７】
前記入力パラメータの所定のサブセットは、前記通信ノードのシステム情報からのセル識別子値に基づく、請求項１に記載の方法。
【請求項８】
前記セル識別子値は、最大セル識別子値、最小セル識別子値、および最小インデックス値と関連付けられるセル識別子値のうちの少なくとも１つである、請求項７に記載の方法。
【請求項９】
前記通信デバイスは、前記入力パラメータの所定のサブセットに基づいて、前記通信デバイス認証情報を生成するように構成される、請求項１に記載の方法。
【請求項１０】
前記入力パラメータの所定のサブセットは、前記以前の通信ノードから受信されたメッセージに基づく、請求項１に記載の方法。
【請求項１１】
通信デバイスによって実施される方法であって、
入力パラメータの所定のサブセットに基づいて、通信デバイス認証情報を生成することと、
通信ノードに、前記通信デバイスと以前の通信ノードとの間の以前の接続と関連付けられる現在の接続を確立するための要求を送信することであって、前記要求は、前記通信デバイス認証情報を備え、前記通信ノードは、
通信ノード認証情報が前記通信デバイス認証情報に合致することの決定に基づいて、前記現在の接続を確立するように構成され、前記通信ノード認証情報は、前記入力パラメータの所定のサブセットに基づいており、前記決定は、前記通信ノードまたは前記以前の通信ノードにおいて実施される、ことと
を含む、方法。
【請求項１２】
前記入力パラメータの所定のサブセットは、前記以前の通信ノードから受信されたメッセージ内のデータの配列順序に基づく、請求項１１に記載の方法。
【請求項１３】
前記現在の接続は、無線リソース制御（ＲＲＣ）接続である、請求項１１に記載の方法。
【請求項１４】
前記入力パラメータの所定のサブセットは、前記現在の接続を確立するための前記通信デバイスからの要求内で識別される、請求項１１に記載の方法。
【請求項１５】
前記要求は、無線リソース制御再開要求、無線リソース制御再確立要求、およびハンドオーバ後無線リソース制御再確立要求のうちの１つである、請求項１１に記載の方法。
【請求項１６】
非一過性コンピュータ可読媒体であって、請求項１−１５に記載の方法のうちの任意の１つを行うためのその上に記憶されるコンピュータ実行可能命令を有する、非一過性コンピュータ可読媒体。
【請求項１７】
通信ノードであって、
送受信機であって、前記送受信機は、
通信デバイスと以前の通信ノードとの間の以前の接続と関連付けられる現在の接続を確立するための要求を通信デバイスから受信するように構成され、前記要求は、通信デバイス認証情報を備える、送受信機と、
少なくとも１つのプロセッサであって、前記少なくとも１つのプロセッサは、
通信ノード認証情報が前記通信デバイス認証情報に合致することの決定に基づいて、前記現在の接続を確立するように構成され、前記通信ノード認証情報は、入力パラメータの所定のサブセットに基づいており、前記決定は、前記通信ノードまたは前記以前の通信ノードにおいて実施される、少なくとも１つのプロセッサと
を備える、通信ノード。
【請求項１８】
前記現在の接続は、無線リソース制御（ＲＲＣ）接続である、請求項１７に記載の通信ノード。
【請求項１９】
前記通信ノード認証情報は、それぞれが前記入力パラメータの所定のサブセットに基づく複数の通信ノード認証情報セットのうちの１つであり、前記決定は、前記複数の通信ノード認証情報セットのうちの１つに合致する前記通信デバイス認証情報に基づく、請求項１７に記載の通信ノード。
【請求項２０】
前記入力パラメータの所定のサブセットは、前記通信ノードのシステム情報からの地上波公共移動通信ネットワーク値に基づく、請求項１７に記載の通信ノード。
【請求項２１】
前記入力パラメータの所定のサブセットは、前記通信ノードのシステム情報からのセル識別子値に基づく、請求項１７に記載の通信ノード。
【請求項２２】
前記通信デバイスは、前記入力パラメータの所定のサブセットに基づいて、前記通信デバイス認証情報を生成するように構成される、請求項１７に記載の通信ノード。
【請求項２３】
通信デバイスであって、
プロセッサであって、前記プロセッサは、
入力パラメータの所定のサブセットに基づいて、通信デバイス認証情報を生成するように構成される、プロセッサと、
送受信機であって、前記送受信機は、
通信ノードに、通信デバイスと以前の通信ノードとの間の以前の接続と関連付けられる現在の接続を確立するための要求を送信するように構成され、前記要求は、前記通信デバイス認証情報を備え、前記通信ノードは、
通信ノード認証情報が前記通信デバイス認証情報に合致することの決定に基づいて、前記現在の接続を確立するように構成され、前記通信ノード認証情報は、前記入力パラメータの所定のサブセットに基づいており、前記決定は、前記通信ノードまたは前記以前の通信ノードにおいて実施される、送受信機と
を備える、通信デバイス。
【請求項２４】
前記入力パラメータの所定のサブセットは、前記以前の通信ノードから受信されたメッセージ内のデータの配列順序に基づく、請求項２３に記載の通信デバイス。
【請求項２５】
前記現在の接続は、無線リソース制御（ＲＲＣ）接続である、請求項２３に記載の通信デバイス。
【請求項２６】
前記入力パラメータの所定のサブセットは、前記現在の接続を確立するための前記通信デバイスからの要求内で識別される、請求項２３に記載の通信デバイス。
【請求項２７】
前記要求は、無線リソース制御再開要求、無線リソース制御再確立要求、およびハンドオーバ後無線リソース制御再確立要求のうちの１つである、請求項２３に記載の通信デバイス。
【発明の詳細な説明】
【技術分野】
【０００１】
本開示は、概して、無線通信に関し、より具体的には、無線リソース制御（ＲＲＣ）非アクティブ状態からのＲＲＣ再開およびＲＲＣ再確立を含む、ネットワーク共有構成におけるＲＲＣ接続管理のためのシステムおよび方法に関する。
【背景技術】
【０００２】
デジタルデータのためのアプリケーションおよびサービスの数が、急激に増加し続けているため、ネットワークリソースおよびオペレータに課される要求および難題も、増加し続けるであろう。将来的サービスが要求するであろう多種多様なネットワーク実施特性を送達することが可能であることは、今日のサービスプロバイダによって直面される、主要な技術的難題のうちの１つである。
【０００３】
ネットワーク共有構成では、セルは、同一セルと関連付けられる地上波公共移動通信ネットワーク（ＰＬＭＮ）識別子およびセル識別子等の複数の識別子を用いて構成されることができる。また、異なるセルは、同一セル識別子（例えば、関連付けられる基地局（ＢＳ）を用いてセルを識別する、セル識別子）を用いて構成されるが、異なるＰＬＭＮと関連付けられることができる。本情報を横断した不一致は、無線リソース制御（ＲＲＣ）再開プロシージャ、ＲＲＣ再確立プロシージャ、またはＢＳから別のＢＳへのハンドオーバと関連付けられるプロシージャ等のプロシージャのための認証情報（例えば、ｓｈｏｒｔＭＡＣ−Ｉ）を決定するためにどの具体的値を利用するべきかに関するＢＳおよびユーザ機器デバイス（ＵＥ）間の不一致につながり得る。
【発明の概要】
【課題を解決するための手段】
【０００４】
本明細書に開示される例示的実施形態は、先行技術において提示された問題のうちの１つ以上のものに関連する課題を解明すること、および付随の図面と併せて以下の詳細な説明を参照することによって容易に明白な状態となるであろう、付加的特徴を提供することを対象とする。種々の実施形態によると、例示的システム、方法、デバイス、およびコンピュータプログラム製品が、本明細書に開示される。しかしながら、これらの実施形態が、限定ではなく、実施例として提示されること、開示される実施形態への種々の修正が、成されながら、本発明の範囲内に留まり得ることが、本開示を熟読する当業者に明白となるであろうことを理解されたい。
【０００５】
一実施形態では、通信ノードによって実施される方法は、通信デバイスと以前の通信ノードとの間の以前の接続と関連付けられる現在の接続を確立するための要求を通信デバイスから受信するステップであって、要求は、通信デバイス認証情報を備える、ステップと、通信ノード認証情報が通信デバイス認証情報に合致することの決定に基づいて、現在の接続を確立するステップであって、通信ノード認証情報は、入力パラメータの所定のサブセットに基づき、決定は、通信ノードまたは以前の通信ノードにおいて実施される、ステップとを含む。
【０００６】
さらなる実施形態では、通信デバイスによって実施される方法は、入力パラメータの所定のサブセットに基づいて、通信デバイス認証情報を生成するステップと、通信ノードに、通信デバイスと以前の通信ノードとの間の以前の接続と関連付けられる現在の接続を確立するための要求を送信するステップであって、要求は、通信デバイス認証情報を備え、通信ノードは、通信ノード認証情報が通信デバイス認証情報に合致することの決定に基づいて、現在の接続を確立するように構成され、通信ノード認証情報は、入力パラメータの所定のサブセットに基づき、決定は、通信ノードまたは以前の通信ノードにおいて実施される、ステップとを含む。
【０００７】
さらなる実施形態では、通信ノードは、通信デバイスと以前の通信ノードとの間の以前の接続と関連付けられる現在の接続を確立するための要求を通信デバイスから受信するように構成され、要求は、通信デバイス認証情報を備える、送受信機と、通信ノード認証情報が通信デバイス認証情報に合致することの決定に基づいて、現在の接続を確立するように構成され、通信ノード認証情報は、入力パラメータの所定のサブセットに基づき、決定は、通信ノードまたは以前の通信ノードにおいて実施される、少なくとも１つのプロセッサとを含む。
【０００８】
さらなる実施形態では、通信デバイスは、入力パラメータの所定のサブセットに基づいて、通信デバイス認証情報を生成するように構成される、プロセッサと、通信ノードに、通信デバイスと以前の通信ノードとの間の以前の接続と関連付けられる現在の接続を確立するための要求を送信するように構成され、要求は、通信デバイス認証情報を備え、通信ノードは、通信ノード認証情報が通信デバイス認証情報に合致することの決定に基づいて、現在の接続を確立するように構成され、通信ノード認証情報は、入力パラメータの所定のサブセットに基づき、決定は、通信ノードまたは以前の通信ノードにおいて実施される、送受信機とを含む。
【図面の簡単な説明】
【０００９】
本発明の種々の例示的実施形態が、以下の図を参照して以下に詳細に説明される。図面は、例証の目的のみのために提供され、読者の本発明の理解を促進するために本発明の例示的実施形態を描写するにすぎない。したがって、図面は、本発明の範疇、範囲、または可用性を限定するものと見なされるべきではない。明確化および例証のし易さのために、これらの図面が、必ずしも縮尺通りに描かれているわけではないことに留意されたい。
【００１０】
【図１】図１は、本開示のある実施形態による、本明細書に開示される技法が実装され得る、例示的セルラー通信ネットワークを図示する。
【００１１】
【図２】図２は、本開示のいくつかの実施形態による、例示的基地局（ＢＳ）およびユーザ機器（ＵＥ）デバイスのブロック図を図示する。
【００１２】
【図３Ａ】図３Ａは、種々の実施形態による、無線リソース制御（ＲＲＣ）設定プロシージャのブロック図である。
【００１３】
【図３Ｂ】図３Ｂは、種々の実施形態による、無線リソース制御（ＲＲＣ）再開プロシージャのブロック図である。
【００１４】
【図３Ｃ】図３Ｃは、種々の実施形態による、無線リソース制御（ＲＲＣ）再確立プロシージャのブロック図である。
【００１５】
【図４】図４は、種々の実施形態による、ハンドオーバ後無線リソース制御（ＲＲＣ）再確立プロシージャのブロック図である。
【発明を実施するための形態】
【００１６】
本発明の種々の例示的実施形態が、付随の図を参照して下記に説明され、当業者が本発明を作製および使用することを可能にする。本開示を熟読した後、当業者に明白となるであろうように、本明細書に説明される実施例への種々の変更または修正が、本発明の範囲から逸脱することなく成され得る。したがって、本発明は、本明細書に説明および図示される例示的実施形態および用途に限定されるものではない。加えて、本明細書に開示される方法におけるステップの具体的な順序または階層は、例示的アプローチにすぎない。設計選好に基づいて、開示される方法またはプロセスのステップの具体的な順序または階層は、本発明の範囲内に留まりながら、再配列され得る。したがって、当業者は、本明細書に開示される方法および技法が、種々のステップまたは行為をサンプル順序で提示すること、および本発明が、明示的に別様に記載されない限り、提示される具体的な順序または階層に限定されないことを理解するであろう。
【００１７】
下記の議論は、従来の通信システムに関して上記に述べられるものに類似する、機能エンティティまたはプロセスに言及し得る。しかしながら、当業者によって理解されるであろうように、そのような従来の機能エンティティまたはプロセスは、下記に説明される機能を実施せず、したがって、下記に説明される動作のうちの１つ以上のものを実施するように修正される、または具体的に構成される必要があるであろう。加えて、当業者は、本開示の熟読後、本明細書に説明される動作を実施するための機能エンティティを構成することが可能にされるであろう。
【００１８】
図１は、本開示のある実施形態による、本明細書に開示される技法が実装され得る、例示的無線通信ネットワーク１００を図示する。そのような例示的ネットワーク１００は、個別の通信リンク１１０（例えば、無線通信チャネル）を介して相互に通信し得る、基地局１０２（以降、「ＢＳ１０２」）および複数のユーザ機器デバイス１０４（以降、「ＵＥ１０４」）と、ネットワーク１０１で地理的エリアを覆う、概念的セル１２６、１３０、１３２、１３４、１３６、１３８、および１４０のクラスタとを含む。各ＵＥ１０４は、ランダムアクセスプロシージャを受け、ネットワーク１０１に加わり得る。図１では、ＢＳ１０２および各ＵＥ１０４は、セル１２６の個別の地理的境界内に含有される。他のセル１３０、１３２、１３４、１３６、１３８、および１４０はそれぞれ、その配分される帯域幅において動作し、十分な無線カバレッジをその意図されるユーザに提供する、少なくとも１つのＢＳを含み得る。故に、セルという呼称は、関連付けられるカバレッジ領域またはエリア（例えば、セル）を伴うＢＳの簡略的呼称であり得る。ある実施形態では、セルは、同義的にＢＳまたはノードと称され得る。
【００１９】
例えば、ＢＳ１０２は、配分されるチャネル伝送帯域幅（例えば、スペクトル）において動作し、十分なカバレッジを各ＵＥ１０４に提供し得る。スペクトルは、許諾された範囲および／または許諾されていない範囲を定義するために調整され得る。ＢＳ１０２および各ＵＥ１０４は、それぞれ、ダウンリンク無線フレーム１１８およびアップリンク無線フレーム１２４を介して通信し得る。無線フレームはまた、より単純に、フレームとも称され得る。各フレーム１１８／１２４はさらに、データシンボル１２２／１２８を含み得る、サブフレーム１２０／１２７に分割され得る。本開示では、ＢＳ１０２および各ＵＥ１０４は、本明細書では、本明細書に開示される方法を実践し得る、概して、「通信ノード」の非限定的実施例として説明される。そのような通信ノードは、本発明の種々の実施形態に従って、無線および／または有線通信が可能であり得る。ある実施形態では、通信デバイスは、より具体的に、ＢＳとの関連で、ＵＥと称され得、通信ノードは、より具体的に、ＵＥとの関連で、ＢＳと称され得る。
【００２０】
図２は、本発明のいくつかの実施形態による、無線通信信号（例えば、ＯＦＤＭ／ＯＦＤＭＡ信号）を伝送および受信するための例示的無線通信システム２００のブロック図を図示する。システム２００は、本明細書に詳細に説明される必要がない、公知または従来の動作特徴をサポートするように構成される、コンポーネントおよび要素を含み得る。一例示的実施形態では、システム２００は、上記に説明されるように、図１の無線通信環境またはネットワーク１００等の無線通信環境内でデータシンボルを伝送および受信するために使用されることができる。
【００２１】
システム２００は、概して、基地局２０２（以降、「ＢＳ２０２」）と、ユーザ機器デバイス２０４（以降、「ＵＥ２０４」）とを含む。ＢＳ２０２は、ＢＳ（基地局）送受信機モジュール２１０と、ＢＳアンテナ２１２と、ＢＳプロセッサモジュール２１４と、ＢＳメモリモジュール２１６と、ネットワーク通信モジュール２１８とを含み、各モジュールは、必要に応じて、データ通信バス２２０を介して相互に結合および相互接続される。ＵＥ２０４は、ＵＥ（ユーザ機器）送受信機モジュール２３０と、ＵＥアンテナ２３２と、ＵＥメモリモジュール２３４と、ＵＥプロセッサモジュール２３６とを含み、各モジュールは、必要に応じて、データ通信バス２４０を介して相互に結合および相互接続される。ＢＳ２０２は、本明細書に説明されるようなデータの伝送のために好適な、当技術分野において公知である任意の無線チャネルまたは他の媒体であり得る、通信チャネル２５０を介してＵＥ２０４と通信する。
【００２２】
当業者によって理解されるであろうように、システム２００はさらに、図２に示されるモジュール以外の任意の数のモジュールを含んでもよい。当業者は、本明細書に開示される実施形態に関連して説明される、種々の例証的ブロック、モジュール、回路、および処理論理が、ハードウェア、コンピュータ可読ソフトウェア、ファームウェア、またはそれらの任意の実践的組み合わせの中に実装され得ることを理解するであろう。ハードウェア、ファームウェア、およびソフトウェアの本置換性および互換性を明確に例証するために、種々の例証的コンポーネント、ブロック、モジュール、回路、およびステップが、概して、それらの機能性の観点から説明される。そのような機能性がハードウェア、ファームウェア、またはソフトウェアとして実装されるかどうかは、システム全体に課される特定の用途および設計制約に依存する。本明細書に説明される概念に精通している者は、そのような機能性を特定の用途毎に好適な様式で実装し得るが、そのような実装の決定は、本発明の範囲を限定するものとして解釈されるべきではない。
【００２３】
いくつかの実施形態によると、ＵＥ送受信機モジュール２３０は、本明細書では、それぞれアンテナ２３２に結合されるＲＦ伝送機および受信機回路を含む、「アップリンク」送受信機モジュール２３０と称され得る。デュプレックススイッチ（図示せず）が、代替として、アップリンク伝送機または受信機を時間デュプレックス方式でアップリンクアンテナに結合してもよい。同様に、いくつかの実施形態によると、ＢＳ送受信機モジュール２１０は、本明細書では、それぞれアンテナ２１２に結合されるＲＦ伝送機および受信機回路を含む、「ダウンリンク」送受信機モジュール２１０と称され得る。ダウンリンクデュプレックススイッチが、代替として、ダウンリンク伝送機または受信機を時間デュプレックス方式でダウンリンクアンテナ２１２に結合してもよい。２つの送受信機モジュール２１０および２３０の動作は、アップリンク受信機が、ダウンリンク伝送機がダウンリンクアンテナ２１２に結合されるのと同時に、無線伝送リンク２５０を経由した伝送の受信のためにアップリンクアンテナ２３２に結合されるように、時間的に協調される。好ましくは、デュプレックス方向の変化の間の最小限のガード時間のみを伴う、緊密な時間の同期化が存在する。
【００２４】
ＵＥ送受信機モジュール２３０およびＢＳ送受信機モジュール２１０は、無線データ通信リンク２５０を介して通信し、特定の無線通信プロトコルおよび変調スキームをサポートし得る、好適に構成されるＲＦアンテナ配列２１２／２３２と協働するように構成される。いくつかの例示的実施形態では、ＵＥ送受信機モジュール２１０およびＢＳ送受信機モジュール２１０は、ロングタームエボリューション（ＬＴＥ）および新興の５Ｇ規格、および同等物等の業界規格をサポートするように構成される。しかしながら、本発明が、必ずしも特定の規格および関連付けられるプロトコルへの適用において限定されるわけではないことを理解されたい。むしろ、ＵＥ送受信機モジュール２３０およびＢＳ送受信機モジュール２１０は、将来的規格またはその変形例を含む、代替的または付加的な無線データ通信プロトコルをサポートするように構成されてもよい。
【００２５】
種々の実施形態によると、ＢＳ２０２は、例えば、進化型ＮｏｄｅＢ（ｅＮＢ）、サービス提供ｅＮＢ、標的ｅＮＢ、フェムトステーション、またはピコステーションであり得る。いくつかの実施形態では、ＵＥ２０４は、モバイルフォン、スマートフォン、携帯情報端末（ＰＤＡ）、タブレット、ラップトップコンピュータ、ウェアラブルコンピューティングデバイス等の種々のタイプのユーザデバイスに具現化され得る。プロセッサモジュール２１４および２３６は、本明細書に説明される機能を実施するために設計される、汎用プロセッサ、連想メモリ、デジタル信号プロセッサ、特定用途向け集積回路、フィールドプログラマブルゲートアレイ、任意の好適なプログラマブル論理デバイス、離散ゲートまたはトランジスタ論理、離散ハードウェアコンポーネント、またはそれらの任意の組み合わせを用いて実装または実現され得る。このように、プロセッサは、マイクロプロセッサ、コントローラ、マイクロコントローラ、状態機械、または同等物として実現され得る。プロセッサはまた、コンピューティングデバイスの組み合わせ、例えば、デジタル信号プロセッサとマイクロプロセッサとの組み合わせ、複数のマイクロプロセッサ、デジタル信号プロセッサコアと併せた１つ以上のマイクロプロセッサ、または任意の他のそのような構成の組み合わせとして実装され得る。
【００２６】
さらに、本明細書に開示される実施形態に関連して説明される方法またはアルゴリズムのステップは、それぞれ、直接、プロセッサモジュール２１４および２３６によって実行される、ハードウェア、ファームウェア、ソフトウェアモジュールに、またはそれらの任意の実践的組み合わせに具現化され得る。メモリモジュール２１６および２３４は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野において公知である任意の他の形態のストレージおよび／またはコンピュータ可読媒体として実現され得る。本点について、メモリモジュール２１６および２３４は、送受信機モジュール２１０および２３０が、それぞれ、メモリモジュール２１６および２３４から情報を読み取り、それに情報を書き込み得るように、それぞれ、送受信機モジュール２１０および２３０に結合されてもよい。メモリモジュール２１６および２３４はまた、それらの個別の送受信機モジュール２１０および２３０に統合されてもよい。いくつかの実施形態では、メモリモジュール２１６および２３４は、それぞれ、送受信機モジュール２１０および２３０によってそれぞれ実行されるべき命令の実行の間、一時変数または他の介在情報を記憶するための、キャッシュメモリを含んでもよい。メモリモジュール２１６および２３４はまた、それぞれ、送受信機モジュール２１０および２３０によってそれぞれ実行されるべき命令を記憶するための、不揮発性メモリを含んでもよい。
【００２７】
ネットワーク通信モジュール２１８は、概して、ＢＳ送受信機モジュール２１０と、基地局２０２と通信するように構成される、他のネットワークコンポーネントおよび通信ノードとの間の双方向通信を可能にする、ハードウェア、ソフトウェア、ファームウェア、処理論理、および／または基地局２０２の他のコンポーネントを表す。例えば、ネットワーク通信モジュール２１８は、インターネットまたはＷｉＭＡＸトラフィックをサポートするように構成されてもよい。典型的展開では、限定ではないが、ネットワーク通信モジュール２１８は、ＢＳ送受信機モジュール２１０が従来のイーサネット（登録商標）ベースのコンピュータネットワークと通信し得るように、８０２．３イーサネット（登録商標）インターフェースを提供する。このように、ネットワーク通信モジュール２１８は、コンピュータネットワーク（例えば、移動交換局（ＭＳＣ））への接続のための物理的インターフェースを含んでもよい。用語「〜のために構成される」、「〜するように構成される」、およびそれらの活用形は、規定される動作または機能に関して本明細書に使用されるように、物理的または仮想的に構築、プログラム、フォーマット化、および／または配列され、規定される動作または機能を実施する、デバイス、コンポーネント、回路、構造、機械、信号等を指す。
【００２８】
無線リソース制御（ＲＲＣ）非アクティブ状態（ＲＲＣ＿ＩＮＡＣＴＩＶＥ）は、特定の無線リソース制御（ＲＲＣ）状態を指し得る。ＲＲＣ非アクティブ状態では、無線アクセスネットワーク（ＲＡＮ）ノードとも称される、ＵＥおよびＢＳは両方とも、ＵＥアクセス層（ＡＳ）コンテキスト情報をセル（例えば、関連付けられるＢＳを伴うカバレッジのエリア）内に維持し得る。ＢＳは、セル（例えば、単一エリアにわたるカバレッジ）またはセルのグループ（例えば、あるグループのエリアにわたるカバレッジ）を管理する、論理的または物理的ネットワーク要素であり得る。本ＵＥ  ＡＳコンテキスト情報は、より単純には、ＵＥコンテキスト情報と称され得る。本ＵＥコンテキスト情報は、例えば、ＵＥに関するセキュリティコンテキスト、シグナリング無線ベアラ（ＳＲＢ）の構成、データ無線ベアラ（ＤＲＢ）の構成、およびユーザプレーンプロトコル層の構成を含んでもよい。ユーザプレーンプロトコル層は、パケットデータ収束プロトコル（ＰＤＣＰ）および無線リンク制御（ＲＬＣ）を含んでもよい。ＲＲＣ非アクティブ状態におけるＵＥは、専用無線リソースが配分され得ない。故に、ＢＳ（例えば、無線アクセスネットワークノード（ＲＡＮノード））は、ＲＲＣ非アクティブ状態では、ＵＥのためにコアネットワーク（ＣＮ）との制御プレーンおよびユーザプレーン接続を維持してもよい。また、ＵＥのＵＥコンテキスト情報を維持する、ＢＳは、ＵＥと関連付けられるソースＢＳ（例えば、ソースノード）と称され得る。
【００２９】
ＵＥは、ＲＲＣ再開プロシージャを通して、ＲＲＣ接続をＲＲＣ非アクティブ状態から再開し、ＲＲＣ接続状態（ＲＲＣ＿ＣＯＮＮＥＣＴＥＤ）に戻り得る。ＲＲＣ接続状態は、ＵＥがＲＲＣ非アクティブ状態に入る前の状態であってもよい。具体的には、ランダムアクセスチャネル（ＲＡＣＨ）プロシージャを実施するステップの一部として、ＵＥは、ＲＲＣ再開要求メッセージをＢＳに送信してもよい。ＲＲＣ再開要求メッセージは、ＵＥ識別子および認証情報を含んでもよい。認証情報は、３ＧＰＰ無線アクセスネットワーク（ＲＡＮ）仕様によって支持されるようなｓｈｏｒｔＭＡＣ−Ｉであってもよい。ｓｈｏｒｔＭＡＣ−Ｉを計算するために使用される入力パラメータは、例えば、セルと関連付けられるＢＳに関するセル識別子（標的セル識別子とも称される）、物理セル識別（ＰＣＩ）、ソースＢＳによってＵＥに配分されるセル無線ネットワーク一時識別子（Ｃ−ＲＮＴＩ）、およびソースセル（例えば、ソースＢＳと関連付けられるセル）または標的セル（例えば、標的ＢＳと関連付けられるセル）のいずれか内のＵＥによって使用されるセキュリティキー（例えば、ＲＲＣ完全性保護キーＫＲＲＣＩＮＣ）を含んでもよい。セル識別子は、その中でＵＥが再開プロシージャを開始する、セル（例えば、ＢＳと関連付けられるセル）であってもよい。また、ソースセルの物理セル識別（ＰＣＩ）は、その中でＵＥが直近でＲＲＣ非アクティブ状態に遷移した、セルであってもよい。
【００３０】
ＲＲＣ再開要求メッセージをＵＥから受信する、標的ＢＳ（例えば、特定のセルラーエリアによって被覆されるサービスを提供する、標的ＢＳまたはＲＡＮノード）は、ＵＥの識別子情報（例えば、ＵＥの識別子）を使用して、ＵＥと関連付けられるソースＢＳを決定してもよい。標的ＢＳは、次いで、ＵＥコンテキスト読出要求メッセージをＵＥと関連付けられるソースＢＳに送信してもよい。ＵＥコンテキスト読出要求メッセージは、例えば、標的セルの識別（例えば、標的ＢＳと関連付けられるセルの識別子）、ＵＥ識別子（例えば、無線ネットワーク一時識別子（Ｉ−ＲＮＴＩ））、およびＵＥから受信された認証情報（例えば、ｓｈｏｒｔＭＡＣ−Ｉ）を含んでもよい。
【００３１】
ＵＥと関連付けられるソースＢＳは、ＵＥと類似する入力パラメータを使用して、ＵＥの認証情報ｓｈｏｒｔＭＡＣ−Ｉを決定（例えば、計算）してもよい。また、これらの入力パラメータは、ＵＥコンテキスト情報内に記憶されるセキュリティキー、ソースセル（例えば、ソースＢＳと関連付けられるセル）のＰＣＩ、ソースセルと関連付けられる間のＵＥの識別子Ｃ−ＲＮＴＩ、およびＵＥコンテキスト読出要求メッセージ内で搬送されるセル識別子を含んでもよい。ソースＢＳは、ＵＥコンテキスト読出要求メッセージ内で搬送されるＵＥ認証情報とソースＢＳによって決定されたＵＥ認証情報を比較し、ＵＥの真正性を確認してもよい。
【００３２】
認証情報が、合致する場合（例えば、ＵＥの真正性が、確認される場合）、ソースは、標的セル内のＵＥ（例えば、標的ＢＳのセルと関連付けられるとき）によって使用されるための新しいセキュリティキーを導出してもよい。新しいキーを導出するための入力パラメータは、例えば、標的セルのＰＣＩ、標的セルのダウンリンク中心周波数（例えば、ダウンリンクにおける進化型ユニバーサルモバイル電気通信システム地上無線アクセス（Ｅ−ＵＴＲＡ）絶対無線周波数チャネル番号（ＥＲＦＣＮ−ＤＬ）またはダウンリンクにおける絶対無線周波数チャネル番号（ＡＲＦＣＮ−ＤＬ））、およびソースセルと関連付けられる間に（例えば、ソースＢＳのセル内にあるときの）ＵＥによって使用されるキーおよび／またはＵＥコンテキスト情報内に記憶される新たな次のホップ（ＮＨ）パラメータ値を含む。ＵＥと関連付けられるソースＢＳは、ＵＥコンテキスト情報読出応答メッセージを使用することによって、新しいセキュリティキーをＵＥと関連付けられる標的ＢＳに送信してもよい。
【００３３】
ＲＲＣ再確立プロシージャは、上記で参照されるＲＲＣ再開プロシージャに類似する。ＲＲＣ再確立プロシージャの一部として、ＵＥは、以下の情報、すなわち、ＵＥ識別子、ソースセルＰＣＩ、ソースセルのセル内にあるときのＵＥによって使用されるＣ−ＲＮＴＩ、およびＵＥ認証情報を有する、ＲＲＣ再確立要求メッセージを標的ＢＳに送信してもよい。ＵＥ認証情報は、セキュリティキー、ＵＥと関連付けられるＢＳのセル識別子、ソースセルＰＣＩ、およびソースセルと関連付けられるＣ−ＲＮＴＩを使用して計算されてもよい。
【００３４】
標的ＢＳが、標的セルと関連付けられるＵＥの認証情報およびセキュリティキー情報を有する状況では、標的ＢＳは、ＲＲＣ再確立要求メッセージ内で搬送されるＵＥ認証情報と標的ＢＳ上に記憶される認証情報を比較してもよい。本時点において、標的セルと関連付けられるＵＥ認証情報が、ソースＢＳ（例えば、ＲＡＮノード）から生じ得る。ソースＢＳ（例えば、ＲＡＮノード）は、ハンドオーバ準備情報またはハンドオーバ要求メッセージを使用して、標的ＢＳまたは標的ＲＡＮノードに、再確立情報のセットを転送してもよい。本再確立情報は、標的セル識別子（例えば、標的ＢＳのセルのセル識別子）、セキュリティキー、およびＵＥ認証情報（例えば、ｓｈｏｒｔＭＡＣ−Ｉ）を含んでもよい。セキュリティキーは、標的セル識別子（例えば、標的ＢＳのセルを識別する、セル識別子）によって識別されるセル内で使用されるセキュリティキーであってもよい。ＵＥ認証情報は、ＵＥがセル識別子によって識別されるセルと関連付けられるＲＲＣ再確立を開始するとき、ＵＥ認証を実施するために使用されてもよい。
【００３５】
標的ＢＳまたはＲＡＮノードが、ＵＥの再確立情報を有していない場合、標的ＢＳまたはＲＡＮノードは、ＵＥコンテキスト読出要求メッセージをソースＲＡＮノードに送信してもよい。ＵＥコンテキスト読出要求メッセージは、ＵＥ識別子、ソースセルＰＣＩ識別子、ソースＣ−ＲＮＴＩ、標的セルと関連付けられる標的セル識別子（例えば、セル識別）、およびＲＲＣ再確立要求メッセージ内でＵＥによって送信されるＵＥ認証情報を搬送してもよい。ソースＢＳまたはＲＡＮノードは、ＵＥ識別子に従って、ローカルで記憶されるＵＥコンテキスト情報を決定してもよい。ソースＢＳまたはＲＡＮノードはまた、ＵＥによって提供される認証情報を確認してもよい。認証情報が、確認される（例えば、認証情報として決定されたソースＢＳまたはＲＡＮノード自体と合致する）場合、ソースＢＳまたはＲＡＮノードは、ＵＥおよび／または標的ＢＳによって使用されるためのセキュリティキーを導出してもよい。
【００３６】
種々の実施形態では、ＵＥは、ＢＳ（例えば、ＢＳのセル）と無線リソース制御（ＲＲＣ）接続再開プロシージャまたはＲＲＣ再確立プロシージャを開始してもよい。そのようなセルは、いくつかの異なる地上波公共移動通信ネットワーク（ＰＬＭＮ）識別子（ＩＤ）およびセル識別子（例えば、ＢＳと関連付けられるセル）と関連付けられてもよい。これらのＰＬＭＮ識別子は、セル識別子（例えば、セルの識別子）と関連付けられてもよい。例えば、単一セル識別子が、異なるＰＬＭＮ識別子と関連付けられてもよい。また、他の状況では、異なるセルの異なるセル識別子が、同一ＰＬＭＮ識別子と関連付けられてもよい。さらに、単一セルが、ＰＬＭＮ識別子およびセル識別子の異なる組み合わせと関連付けられてもよい。
【００３７】
ＲＲＣ非アクティブ状態からのＵＥによるＲＲＣ再開プロシージャまたはＲＲＣ再確立プロシージャの実施は、ＵＥがＲＲＣ非アクティブ状態に入ることに先立って利用された（例えば、ＵＥが以前のアクティブ状態であったときの）ＰＬＭＮと異なる、ＰＬＭＮを利用してもよい。ＰＬＭＮ選択間の本不一致は、ＰＬＭＮ間セル再選択と称され得る。また、ＰＬＭＮ間ＢＳ再選択後のＲＲＣ再開プロシージャの実施は、ＰＬＭＮ間ＲＲＣ再開と称され得る。
【００３８】
ＵＥは、ハンドオーバプロシージャ等における無線リンク失敗が生じるとき、セル再選択を実施してもよい。しかしながら、ＵＥによって選択されたＰＬＭＮは、ハンドオーバに先立って、または無線リンク失敗の前に、ＵＥによって選択されたＰＬＭＮと異なり得る。ＲＲＣ再確立プロシージャにおけるＰＬＭＮ選択間の本不一致は、ＰＬＭＮ間ＲＲＣ再確立と称され得る。
【００３９】
そのようなＰＬＭＮ間セル再選択、ＰＬＭＮ間ＲＲＣ再開、またはＰＬＭＮ間ＲＲＣ再確立の実施では、ＲＲＣ再確立要求またはＲＲＣ再開要求を受信する、標的ＢＳは、要求側ＵＥのものと異なる入力パラメータ値を利用し得る。故に、ＢＳおよびＵＥは、認証情報を決定するために利用されるパラメータが異なる場合、認証情報を決定および合致させることが困難であり得る。
【００４０】
例えば、入力パラメータ間の本不一致は、標的ＢＳが、認証情報決定のために利用される、または標的ＢＳからソースＢＳに送信されるメッセージ内で参照されるためのセル識別子（例えば、セルを識別する、セル識別）を決定することが不可能であることを意味し得る。上記に述べられたように、ＵＥの認証情報は、異なるセル識別子値が入力パラメータとして利用されるとき、確認（例えば、ＵＥおよびＢＳ側における決定の合致）が不可能であり得る。
【００４１】
さらに、共有ネットワーク構成では、異なるセルは、異なるＰＬＭＮ  ＩＤを伴う同じセル識別子を有し得る。したがって、ソースＢＳは、標的セルを一意に決定することが困難であり得る。本不一致に起因して、ソースＢＳは、異なる入力パラメータ（例えば、異なるＰＣＩまたはＡＲＦＣＮ−ＤＬ値として）がＵＥおよびソースＢＳによって利用され得るため、ＵＥによって導出されるものと異なるセキュリティキーを導出し得る。したがって、種々の実施形態によるシステムおよび方法は、認証情報決定のために入力パラメータを一意に識別する、ルールのセットに従って、認証情報を確認してもよい。
【００４２】
図３Ａは、種々の実施形態による、無線リソース制御（ＲＲＣ）設定プロシージャ３００のブロック図である。ＲＲＣ設定プロシージャ３００は、ＵＥ３０２と、標的ＢＳ３０４と、ソースＢＳ３０６との間で実施されてもよい。標的ＢＳ３０４およびソースＢＳ３０６はそれぞれ、ある実施形態では、それぞれ、標的ＢＳまたは標的ノードおよびソースＢＳまたはソースノードと称され得る。標的ＢＳ３０４は、ＵＥ３０２が接続および通信を求めている、ＢＳであり得る。ソースＢＳ３０６は、ＵＥ３０２が以前に接続および通信した、ＢＳであり得る。ＵＥ３０２、標的ＢＳ３０４、およびソースＢＳ３０６は、図１および２において上記で例証されたものと同一タイプのＵＥおよび／またはＢＳであり得るが、解説を容易にするために、図３Ａ以降で再列挙される。
【００４３】
動作３１０では、ＵＥ３０２は、標的ＢＳ３０４との接続を要求するメッセージを送信し得る。下記にさらに議論されるであろうように、本メッセージは、ＲＲＣ再開要求またはＲＲＣ再確立要求メッセージであってもよい。メッセージは、ＵＥ認証情報の確認のために利用され得る、ＵＥ情報を含んでもよい。本ＵＥ情報は、下記にさらに詳細に議論されるであろうように、ＵＥ識別子、すなわち、ＵＥ認証情報（例えば、ｓｈｏｒｔＭＡＣ−Ｉ等のＵＥ発生認証情報）を含んでもよい。故に、本ＵＥ情報は、同様に下記に詳細に議論されるであろうように、特定の様式においてＵＥ認証情報の確認のために選択および／または処理され得る、種々のパラメータを含んでもよい。また、ＢＳおよびＵＥは、同様に下記にさらに議論されるであろうように、認証情報を決定するために、同一パラメータを選択してもよい。
【００４４】
動作３１２では、標的ＢＳ３０４は、ＵＥコンテキスト情報の読出のために、メッセージをソースＢＳ３０６に送信し得る。本要求は、ＵＥコンテキスト読出要求メッセージとも称される、ＵＥコンテキスト要求を含んでもよい。本ＵＥコンテキスト読出要求メッセージは、標的セルＩＤ、ＵＥ  ＩＤ、ＵＥ発生認証情報（例えば、ＵＥ認証情報）、および同等物のインジケーション等のＵＥコンテキスト要求情報を含んでもよい。ソースＢＳ３０６は、ＵＥコンテキスト要求内に含まれる情報を利用して、ソースＢＳ３０６によって実施されるような確認のために使用されるための認証情報を生成してもよい。ある実施形態では、ＵＥコンテキスト要求は、ＵＥ情報に基づいてもよい。
【００４５】
故に、上記で参照される動作においてソースＢＳ３０６に提供される情報に基づいて、ソースＢＳ３０６は、認証情報をソースＢＳにおいて発生させ、ＵＥ３０２発生認証情報（例えば、ＵＥ認証情報）およびソースＢＳ３０６発生認証情報が合致するかどうかの決定を介して、確認を実施してもよい。ＵＥは、ＵＥ３０２発生認証情報（例えば、ＵＥ認証情報）およびソースＢＳ３０６発生認証情報が合致するとき、確認されてもよい（例えば、標的ＢＳが通信のための接続を確立し得る、確認されたＵＥであると決定される）。また、ＵＥが、そのような様式において確認されると、ソースＢＳ３０６は、ＵＥ３０２が標的セル（例えば、標的ＢＳ３０４と関連付けられるセル）内にあるとき、ＵＥ３０２と標的ＢＳ３０４との間の将来的通信のために使用されるための新しいセキュリティキーを発生させてもよい。
【００４６】
動作３１４では、ソースＢＳ３０６は、動作３１２におけるメッセージに対する返信において、メッセージを標的ＢＳ３０４に送信し得る。本メッセージは、ＵＥコンテキスト情報応答を含んでもよい。本ＵＥコンテキスト情報応答は、ＵＥコンテキスト要求に応答して提供されてもよい。ＵＥコンテキスト情報応答は、ソースＢＳ３０６によって生成された新しいセキュリティキーを含んでもよい。本新しいセキュリティキーは、ＵＥ３０２と標的ＢＳ３０４との間の将来的通信のために使用されてもよい。
【００４７】
動作３１６では、標的ＢＳ３０４は、標的ＢＳ応答情報とともにメッセージをＵＥ３０２に送信し得る。本メッセージは、通信接続（例えば、動作３１０においてＵＥによって要求される接続）を標的ＢＳ３０４とＵＥ３０２との間に確立する、再開または再確立メッセージであってもよい。換言すると、標的応答情報は、標的ＢＳ３０４との接続がソースＢＳ３０６によって生成された認証情報に合致するＵＥ認証情報に基づいて確立されることのインジケーションを含んでもよい。
【００４８】
図３Ｂは、種々の実施形態による、無線リソース制御（ＲＲＣ）再開プロシージャ３３０のブロック図である。ＲＲＣ再開プロシージャ３３０は、ＵＥ３０２と、標的ＢＳ３０４と、ソースＢＳ３０６との間で実施されてもよい。ＲＲＣ再開プロシージャ３３０は、図３ＡのＲＲＣ設定プロシージャ３００に実質的に類似し得るが、動作３１０が、動作３１０Ａに関して下記に説明されるように修正され得、動作３１６が、動作３１６Ａに関して下記に説明されるように修正され得るという点で異なる。他の側面は、同一であり得、簡潔にするために、再び繰り返されないであろう。
【００４９】
図３Ｂに戻ると、動作３１０Ａでは、ＵＥ３０２は、ＲＲＣ再開要求メッセージを標的ＢＳ３０４に送信し得る。ＲＲＣ再開要求メッセージは、上記に議論される、標的ＢＳ３０４との接続を要求するより汎用のメッセージに類似してもよい。例えば、ＲＲＣ再開要求メッセージは、ＵＥ情報を含んでもよい。しかしながら、ＲＲＣ再開要求メッセージは、ＲＲＣ再開プロシージャの一部として、具体的に送信されてもよい。より具体的には、ＲＲＣ再開要求は、ＵＥ３０２が、アイドル状態であるが、アクティブ状態に戻ることを求めていることに応答して、送信されてもよい。他の側面は、上記に議論される、標的ＢＳ３０４との接続を要求するより汎用のメッセージと同一であり得、簡潔にするために、再び繰り返されないであろう。
【００５０】
動作３１６Ａでは、標的ＢＳ３０４は、ＲＲＣ再開メッセージをＵＥ３０２に送信し得る。ＲＲＣ再開メッセージは、上記の標的ＢＳ応答情報を含む、より汎用のメッセージに類似してもよい。しかしながら、ＲＲＣ再開メッセージは、ＲＲＣ再開要求メッセージに応答して、送信されてもよい。また、ＲＲＣ再開メッセージは、ＲＲＣ再開プロシージャの側面に対処してもよい。他の特徴は、上記に議論される、より汎用の標的ＢＳ応答情報と同一であり得、簡潔にするために、再び繰り返されないであろう。
【００５１】
図３Ｃは、種々の実施形態による、無線リソース制御（ＲＲＣ）再確立プロシージャ３６０のブロック図である。ＲＲＣ再確立プロシージャ３６０は、ＵＥ３０２と、標的ＢＳ３０４と、ソースＢＳ３０６との間で実施されてもよい。ＲＲＣ再確立プロシージャ３６０は、図３ＡのＲＲＣ設定プロシージャ３００に実質的に類似し得るが、動作３１０が、動作３１０Ｂに関して下記に説明されるように修正され得、動作３１６が、動作３１６Ｂに関して下記に説明されるように修正され得るという点で異なる。他の側面は、同一であり得、簡潔にするために、再び繰り返されないであろう。
【００５２】
図３Ｃに戻ると、動作３１０Ｂでは、ＵＥ３０２は、ＲＲＣ再確立要求メッセージを標的ＢＳ３０４に送信し得る。ＲＲＣ再確立要求メッセージは、上記に議論される、標的ＢＳ３０４との接続を要求するより汎用のメッセージに類似してもよい。例えば、ＲＲＣ再確立メッセージは、ＵＥ情報を含んでもよい。しかしながら、ＲＲＣ再確立要求メッセージは、ＲＲＣ再確立プロシージャの一部として、具体的に送信されてもよい。より具体的には、ＲＲＣ再確立要求は、ＢＳとの接続を喪失しており、ＲＲＣ再確立要求メッセージを標的ＢＳ３０４に送信することによって、標的ＢＳ３０４と通信を再確立することを求めている、ＵＥ３０２に応答して、送信されてもよい。他の側面は、上記に議論される、標的ＢＳ３０４との接続を要求するより汎用のメッセージと同一であり得、簡潔にするために、再び繰り返されないであろう。
【００５３】
動作３１６Ｂでは、標的ＢＳ３０４は、ＲＲＣ再確立メッセージをＵＥ３０２に送信し得る。ＲＲＣ再確立メッセージは、上記のより汎用のメッセージに類似してもよい。しかしながら、ＲＲＣ再確立メッセージは、ＲＲＣ再確立要求メッセージに応答して、送信されてもよい。例えば、ＲＲＣ再確立メッセージ内の標的ＢＳ応答情報は、ＲＲＣ再確立プロシージャに特有の情報を含んでもよい。他の側面は、上記に議論される、標的ＢＳ応答情報を含む、より汎用のメッセージと同一であり得、簡潔にするために、再び繰り返されないであろう。
【００５４】
ある例示的実施形態では、ＵＥおよび関連付けられるＢＳは、協調様式において、確認および認証情報決定のためのパラメータを選択してもよい。例えば、ＵＥおよび標的ＢＳまたはソースＢＳは、所定のルールに従ってＵＥ認証情報を決定および／または確認するために利用されるセル識別子（例えば、セルおよび関連付けられるＢＳを識別する、セル識別子）を識別または決定してもよい。本所定のルールを使用することによって、ＵＥ、標的ＢＳ、および／またはソースＢＳは、同一セル識別子（例えば、セルおよび関連付けられるＢＳを識別する、セル識別）を利用して、確認のために、その個別の認証情報（例えば、ｓｈｏｒｔＭＡＣ−Ｉ）を決定し得る。
【００５５】
所定のルールの第１の実施例として、標的セルのシステム情報内に示される第１のＰＬＭＮに対応する、セル識別子（例えば、セルおよび関連付けられるＢＳを識別する、セル識別）が、認証情報決定のためのセル識別子として利用されてもよい。システム情報内の本第１のＰＬＭＮは、標的セルのシステム情報内のＰＬＭＮリスト内の最低インデックス値を伴うＰＬＭＮであってもよい。
【００５６】
所定のルールの第２の実施例として、ＰＬＭＮリスト内のＰＬＭＮ  ＩＤの最大（例えば、最高）または最小数値のいずれかに対応する、セル識別子（例えば、セルおよび関連付けられるＢＳを識別する、セル識別）が、認証情報決定のためのセル識別子として利用されてもよい。本ＰＬＭＮリストは、標的セルのシステム情報内に含まれてもよい。
【００５７】
所定のルールの第３の実施例として、認証情報決定のために利用されるセル識別子（例えば、セルおよび関連付けられるＢＳを識別する、セル識別）は、標的セルのシステム情報内に含まれるセル識別子内の最大または最小数値を伴うセル識別子であってもよい。本最大または最小数値は、その数値に従って、全てのセル識別子を順序付け、最大または最小数値を伴うものを選択することによって決定されてもよい。
【００５８】
種々の実施形態では、ＵＥまたはＢＳのいずれかは、入力パラメータのうちの１つとして、セル識別子（例えば、セルおよび関連付けられるＢＳを識別する、セル識別）に基づいて、認証情報（例えば、ｓｈｏｒｔＭＡＣ−Ｉ）を決定するための前述の３つの所定のルールのうちの１つを利用してもよい。これは、上記で参照されるＲＲＣ再開プロシージャまたはＲＲＣ再確立プロシージャを開始するときに実施されてもよい。換言すると、ＵＥは、認証情報を決定するための前述の３つの所定のルールのうちの１つを利用してもよい。次いで、ＵＥは、ＵＥの認証情報（例えば、ＵＥ認証情報）を標的ＢＳに送信してもよい。ＵＥによって送信されるＲＲＣ再開要求メッセージまたはＲＲＣ再確立要求メッセージを受信する、標的ＢＳもまた、ＵＥによって使用されるものと同一の認証情報を決定するために使用されるセル識別子を決定するための前述の３つの所定のルールのうちの１つを利用してもよい。ある実施形態では、標的ＢＳは、ＵＥコンテキスト読出要求メッセージをソースＢＳに送信してもよい。ＵＥコンテキスト読出要求メッセージは、ＵＥ認証情報を決定するために使用されるセル識別子を含んでもよい。例えば、標的ＢＳは、認証情報を決定するために要求されるＵＥコンテキスト情報（例えば、ＵＥアクセス層（ＡＳ）コンテキスト情報）を有していない場合がある。そのような状況では、標的ＢＳは、ＵＥコンテキスト読出要求メッセージをソースＢＳに送信してもよい。ある実施形態では、ソースＢＳは、次いで、認証情報を決定し、確認を実施し、ソースＢＳによって決定された認証情報およびＵＥ提供認証情報が合致することを確認してもよい。ソースＢＳはまた、ソースＢＳによって決定された認証情報およびＵＥ提供認証が合致することのインジケータ（例えば、新しいセキュリティキーとして）を生成し、標的ＢＳに送信してもよい。
【００５９】
随意の実施形態では、ＵＥコンテキスト読出要求メッセージは、認証情報を決定するために利用されるセル識別子（例えば、セルおよび関連付けられるＢＳを識別する、セル識別）に対応し得る（例えば、それと関連付けられる）、ＰＬＭＮ識別子（例えば、ＰＬＭＮ  ＩＤ）を含んでもよい。次いで、ソースＢＳは、ＰＬＭＮ識別子およびセル識別子に基づいて、認証情報を決定することによって、ＵＥ認証情報の確認を実施してもよい。また、特定の実施形態では、ソースＢＳは、ＰＬＭＮ識別子およびセル識別子に基づいて、標的セルを識別してもよい。
【００６０】
特定の実施形態では、標的ＢＳは、標的ＢＳがＵＥ認証情報の確認に関する認証情報を決定するために必要とし得る、全ての情報をすでに有している場合がある。これは、標的ＢＳがまたソースＢＳでもある、実施形態における場合であり得る。
【００６１】
ある例示的実施形態では、ＵＥ認証情報の確認は、認証情報のいくつかのセットを決定することによって実施されてもよい。次いで、ＵＥ認証情報は、ＵＥ認証情報が認証情報のいくつかのセットのいずれかと合致する場合に確認され得る。例えば、標的ＢＳは、標的セルのＰＬＭＮ識別子および対応するセル識別子（例えば、セルおよび関連付けられるＢＳを識別する、セル識別）のうちの１つ等の情報を含む、ＵＥコンテキスト読出要求メッセージをソースＢＳに送信してもよい。ある実施形態では、情報は、標的セルＰＬＭＮ識別子（ＩＤ）およびセル識別子（例えば、セルおよび関連付けられるＢＳを識別する、セル識別）の両方の組み合わせであってもよい。ソースＢＳは、ＰＬＭＮ識別子およびセル識別子に基づいて、標的セルを識別してもよい。ある実施形態では、ソースＢＳは、標的セルに関連付けられるセル識別子のそれぞれを利用することによって、認証情報を計算してもよい。ソースＢＳは、計算された認証情報のうちの少なくとも１つが（例えば、標的ＢＳに新しいセキュリティキーを送信することによって）ＵＥによって提供されるＵＥ認証情報に合致することを示し得る。
【００６２】
ある実施形態では、ソースＢＳは、ＵＥコンテキスト読出要求メッセージに基づいて、標的セルを識別してもよい。また、特定の実施形態では、ＰＬＭＮ識別子（ＩＤ）および／またはセル識別子（例えば、セルおよび関連付けられるＢＳを識別する、セル識別）が、標的セルを一意に識別するために利用されてもよい。さらなる実施形態では、ソースＢＳは、標的セルの物理セル識別子（ＰＣＩ）および／またはダウンリンクキャリア中心周波数情報に基づいて、標的セルを識別してもよい。また、本標的セルＰＣＩおよびダウンリンクキャリア中心周波数情報は、標的セルに関連してＵＥのための新しいセキュリティキーを作成するために利用され、標的ＢＳに送信されてもよい。
【００６３】
上記に述べられたように、ＵＥ認証情報の確認は、認証情報のいくつかのセットを決定することによって実施されてもよい。認証情報のこれらのいくつかのセットは、ソースＢＳによって決定されてもよい。また、認証情報のこれらのいくつかのセットは、それぞれ、認証情報を決定するために利用され得る、異なる有効入力パラメータの使用を介して決定されてもよい。有効入力パラメータはそれぞれ、上記および下記に議論される例示的実施形態の種々の所定のルールのうちの１つ以上のもの等に従って、事前に決定されてもよい。例えば、認証情報のいくつかのセットはそれぞれ、有効入力パラメータとして、異なるセル識別子（例えば、セルおよび関連付けられるＢＳを識別する、セル識別）に基づいてもよい。次いで、ＵＥから受信されたＵＥ認証情報は、ＵＥ認証情報が有効入力パラメータに基づいてソースＢＳによって決定された認証情報のいくつかのセットのいずれかと合致するとき、確認され得る。
【００６４】
さらに、ソースＢＳは、有効入力パラメータに基づいて、１つ以上の新しいセキュリティキーを決定してもよい。例えば、異なるＰＣＩおよびダウンリンクキャリア中心周波数情報は、１つ以上のセキュリティキーの決定のための有効入力パラメータとして識別されてもよい。これらの１つ以上の新しいセキュリティキーは、標的ＢＳとＵＥとの間の将来的通信のために、標的ＢＳに提供されてもよい。
【００６５】
図４は、種々の実施形態による、ハンドオーバ後無線リソース制御（ＲＲＣ）再確立プロシージャ４００のブロック図である。ハンドオーバ後ＲＲＣ再確立プロシージャ４００は、ＵＥ３０２と、標的ＢＳ３０４と、ソースＢＳ３０６との間で実施されてもよい。標的ＢＳ３０４およびソースＢＳ３０６はそれぞれ、ある実施形態では、それぞれ、標的ＢＳまたはノードおよびソースＢＳまたはノードと称され得る。
【００６６】
動作４０２では、ソースＢＳ３０６は、ハンドオーバ要求メッセージを標的ＢＳ３０４に送信し得る。ハンドオーバ要求メッセージは、標的ＢＳ３０４がＵＥ３０２との通信に関してソースＢＳ３０６を引き継ぐべきであることを示す、メッセージであってもよい。さらに、ハンドオーバ要求メッセージに基づいて、種々の相互作用が、標的ＢＳ３０４とソースＢＳ３０６との間に生じ得る。これらの相互作用は、例えば、再確立／ＵＥコンテキスト情報（ＵＥ  ＩＤ、標的セルＩＤ、ソースＢＳ発生認証情報、標的セル内のＵＥのために使用される新しいキー）および同等物を示す、ソースＢＳ３０６から標的ＢＳ３０４へのハンドオーバ要求メッセージ（ハンドオーバ準備情報）の送信を含んでもよい。本ＵＥコンテキスト情報は、標的ＢＳ３０４によって、下記にさらに議論されるであろうように、ＵＥ認証情報を確認するために利用されてもよい。また、本ＵＥコンテキスト情報は、例えば、標的ＢＳ３０４とＵＥ３０２との間の将来的通信のために利用され得る、セキュリティキーを含んでもよい。
【００６７】
動作４０６では、ソースＢＳ３０６は、ＲＲＣ再構成メッセージをＵＥ３０２に送信し得る。ＲＲＣ再構成メッセージは、ＵＥに、ソースＢＳ３０６が、動作４０２において、ハンドオーバ要求を標的ＢＳにすでに送信していることを知らせてもよい。換言すると、ＲＲＣ再構成メッセージは、ＵＥ３０２に、標的ＢＳ３０４がソースＢＳ３０６を引き継ぐべきであることを知らせてもよい。ハンドオーバ失敗が、ＵＥにおいて生じる場合（例えば、ＵＥが、受信されたＲＲＣ再構成メッセージに従って、標的ＢＳ３０４に接続することに失敗する場合）、ＵＥ３０２は、ＲＲＣ再確立要求を標的ＢＳ３０４に送信するステップを介して、標的ＢＳ３０４との通信を再確立するように試みてもよい。
【００６８】
動作４０８では、ＵＥ３０２は、ＲＲＣ再確立要求を標的ＢＳ３０４に送信し得る。ＲＲＣ再確立要求（例えば、ＲＲＣ再確立要求メッセージ）は、ＵＥ認証情報の確認のために利用され得る、ＵＥ情報を含んでもよい。本ＵＥ情報は、ＵＥ認証情報（例えば、ｓｈｏｒｔＭＡＣ−Ｉ）、ＵＥ  ＩＤ、および同等物を含んでもよい。例えば、本ＵＥ情報は、ＵＥ認証情報の確認のために選択および／または処理され得る、種々のパラメータを含んでもよい。ある実施形態では、ＲＲＣ再確立要求メッセージは、ＲＲＣ再確立プロシージャの一部として、具体的に送信されてもよい。
【００６９】
前の動作から受信された情報に基づいて、標的ＢＳは、合致に関してＵＥ発生認証情報およびソースＢＳ発生認証情報を比較することによって、確認または確認の決定を実施してもよい。合致が存在する場合、ＵＥ発生認証情報（例えば、ＵＥ認証情報）は、確認される。
【００７０】
動作４１０では、標的ＢＳ３０４は、ＲＲＣ再確立メッセージをＵＥ３０２に送信し、ＵＥと接続（例えば、動作４０８においてＵＥによって要求される接続）を確立し得る。上記に述べられたように、本確認は、ソースＢＳと標的ＢＳとの間の相互作用の間、ソースＢＳ３０６から受信された認証情報に基づいて、標的ＢＳ３０４によって実施されてもよい。また、ＲＲＣ再確立メッセージは、ＲＲＣ再確立プロシージャの側面に特有の（例えば、それに対処する）情報を含んでもよい。
【００７１】
ある例示的実施形態では、認証情報を決定するためのルールは、ハンドオーバ後ＲＲＣ再確立プロシージャに特有であってもよい。例えば、ハンドオーバ後ＲＲＣ再確立プロシージャの間、ソースＢＳ（例えば、ソースＲＡＮノード）は、再確立情報のリストへのアクセスを有してもよい。本再確立情報は、ソースＢＳから標的ＢＳに送信され、ＵＥと標的ＢＳとの間に通信を確立してもよい。また、本再確立情報は、標的ＢＳによって、ハンドオーバ成功後またはハンドオーバ失敗後、ＵＥ認証情報の確認のために利用されてもよい。ある実施形態では、本再確立情報は、標的セル識別子（例えば、標的ＢＳを識別する、セル識別子）、ＵＥ認証情報（例えば、ｓｈｏｒｔＭＡＣ−Ｉ）、およびＵＥ３０２と標的ＢＳ３０４との間の通信のためのセキュリティキーのリストを含んでもよい。ある随意の実施形態では、再確立情報は、「ハンドオーバ準備情報」情報要素またはフィールド内に含有され、ハンドオーバ要求メッセージを介して、またはハンドオーバ要求メッセージとともに、ソースＢＳから標的ＢＳに送信されてもよい。
【００７２】
多数の実施形態では、再確立情報の一部として提供される、または認証情報の決定のために利用される、セル識別子（例えば、セルおよび関連付けられるＢＳを識別する、セル識別）は、以下の例示的技法のうちの１つにおいて決定されてもよい。第１の例示的技法として、認証情報（例えば、ｓｈｏｒｔＭＡＣ−Ｉ）の決定のために利用されるセル識別子は、ソースセルのＰＬＭＮと対応する（例えば、関連付けられる）、セル識別子（例えば、ソースＰＬＭＮまたはソースＢＳからのハンドオーバ前のＵＥと関連付けられるＰＬＭＮ  ＩＤ）であってもよい。セル識別子が、ＵＥおよびＢＳ（例えば、標的またはソースＢＳ）の両方における認証情報決定のためにこのように識別されてもよい。ソースＰＬＭＮと対応する（例えば、関連付けられる）、本セル識別子は、標的セルのシステム情報内で識別されてもよい。ある実施形態では、ソースＰＬＭＮと対応する、本セル識別子は、認証情報の決定の際の選択のために、他のセル識別子より高い優先順位を与えられ得る。また、ある実施形態では、ソースＰＬＭＮと対応する（例えば、関連付けられる）、本セル識別子は、ソースＢＳによって、認証情報を決定するために利用されてもよく、これは、次いで、標的ＢＳに送信される。
【００７３】
第２の例示的技法として、認証情報（例えば、ｓｈｏｒｔＭＡＣ−Ｉ）の決定のために利用される、セル識別子は、標的ＢＳのＰＬＭＮと対応する（例えば、関連付けられる）、セル識別子（例えば、標的ＰＬＭＮまたは標的セルと関連付けられるＰＬＭＮ  ＩＤ）であってもよい。セル識別子が、ＵＥおよびＢＳ（例えば、標的またはソースＢＳ）の両方における認証情報決定のためにこのように識別されてもよい。標的ＰＬＭＮと対応する（例えば、関連付けられる）、本セル識別子は、標的セルのシステム情報内で識別されてもよい。ある実施形態では、標的ＰＬＭＮと対応する、本セル識別子は、認証情報の決定の際の選択のために、他のセル識別子より高い優先順位を与えられ得る。また、ある実施形態では、標的ＰＬＭＮと対応する、本セル識別子は、ソースＢＳによって、認証情報を決定するために利用されてもよく、これは、次いで、標的ＢＳに送信される。
【００７４】
第３の例示的技法として、認証情報（例えば、ｓｈｏｒｔＭＡＣ−Ｉ）の決定のために利用される、セル識別子は、ＵＥが通信またはサポートし得る、任意のＰＬＭＮ（例えば、サポートされるＰＬＭＮ、登録されたＰＬＭＮ、登録されたＰＬＭＮの均等物ＰＬＭＮ、選択されたＰＬＭＮ、および／または選択されたＰＬＭＮの均等物ＰＬＭＮ）と対応する（例えば、関連付けられる）、セル識別子であってもよい。セル識別子が、ＵＥおよびＢＳ（例えば、標的またはソースＢＳ）の両方における認証情報決定のためにこのように識別されてもよい。サポートされるＰＬＭＮと対応する（例えば、関連付けられる）、本セル識別子は、標的セルのシステム情報内で識別されてもよい。ある実施形態では、サポートされるＰＬＭＮと対応する、本セル識別子は、認証情報の決定の際の選択のために、他のセル識別子より高い優先順位を与えられ得る。また、サポートされるＰＬＭＮと対応する、本セル識別子は、ソースＢＳによって、認証情報を決定するために利用されてもよく、これは、次いで、標的ＢＳに送信される。
【００７５】
第４の例示的技法として、認証情報（例えば、ｓｈｏｒｔＭＡＣ−Ｉ）の決定のために利用される、セル識別子は、標的セルにアクセス可能なＰＬＭＮリスト内の第１のＰＬＭＮ（例えば、最低インデックス値を伴うＰＬＭＮ）と対応する（例えば、関連付けられる）、セル識別子であってもよい。セル識別子が、ＵＥおよびＢＳ（例えば、標的またはソースＢＳ）の両方における認証情報決定のためにこのように識別されてもよい。第１のＰＬＭＮと対応する（例えば、関連付けられる）、本セル識別子は、標的セルのシステム情報内で識別されてもよい。ある実施形態では、第１のＰＬＭＮと対応する、本セル識別子は、認証情報の決定の際の選択のために、他のセル識別子より高い優先順位を与えられ得る。また、第１のＰＬＭＮと対応する、本セル識別子は、ソースＢＳによって、認証情報を決定するために利用されてもよく、これは、次いで、標的ＢＳに送信される。
【００７６】
第５の例示的技法として、認証情報（例えば、ｓｈｏｒｔＭＡＣ−Ｉ）の決定のために利用される、セル識別子は、標的セルにアクセス可能なＰＬＭＮ  ＩＤリスト内の最大または最小値ＰＬＭＮ識別子またはＩＤ（例えば、最大または最小数値を伴うＰＬＭＮ  ＩＤ）と対応する（例えば、関連付けられる）、セル識別子であってもよい。セル識別子が、ＵＥおよびＢＳ（例えば、標的またはソースＢＳ）の両方における認証情報決定のためにこのように識別されてもよい。最大または最小値ＰＬＭＮ  ＩＤと対応する（例えば、関連付けられる）、本セル識別子は、標的セルのシステム情報内で識別されてもよい。ある実施形態では、最大または最小値ＰＬＭＮ  ＩＤと対応する、本セル識別子は、認証情報の決定の際の選択のために、他のセル識別子より高い優先順位を与えられ得る。また、最大または最小値ＰＬＭＮと対応する、本セル識別子は、ソースＢＳによって、認証情報を決定するために利用されてもよく、これは、次いで、標的ＢＳに送信される。
【００７７】
第６の例示的技法として、標的ＢＳにアクセス可能なセル識別子のリスト内の最大または最小値セル識別子が、認証情報（例えば、ｓｈｏｒｔＭＡＣ−Ｉ）の決定のために利用されてもよい。最大または最小値セル識別子が、ＵＥおよびＢＳ（例えば、標的またはソースＢＳ）の両方における認証情報決定のためにこのように識別されてもよい。本最大または最小値セル識別子は、標的セルのシステム情報内で識別されてもよい。ある実施形態では、本最大または最小値セル識別子は、認証情報の決定の際の選択のために、他のセル識別子より高い優先順位を与えられ得る。また、本最大または最小値セル識別子は、ソースＢＳによって、認証情報を決定するために利用されてもよく、これは、次いで、標的ＢＳに送信される。
【００７８】
第７の例示的技法として、標的ＢＳにアクセス可能なあらゆる可能性として考えられるセル識別子が、認証情報（例えば、ｓｈｏｒｔＭＡＣ−Ｉ）の決定のために利用されてもよい。これらのセル識別子が、ＵＥおよびＢＳ（例えば、標的またはソースＢＳ）の両方における認証情報決定のためにこのように識別されてもよい。これらのセル識別子は、標的セルのシステム情報内で識別されてもよい。ある実施形態では、これらのセル識別子は、ソースＢＳによって、認証情報を決定するために利用されてもよく、これは、次いで、標的ＢＳに送信される。また、標的ＢＳにアクセス可能なあらゆるセル識別子のリストも同様に、ソースＢＳによって、標的ＢＳに送信されてもよい。ある実施形態では、ＵＥは、標的ＢＳへの伝送のためのＵＥ認証情報を決定するために、標的セルにアクセス可能なあらゆる可能性として考えられるセル識別子の中から１つのみのセル識別子を選択してもよい。
【００７９】
随意に、特定の実施形態では、ソースＢＳはまた、標的ＢＳに、再確立情報の一部として、セル識別子と関連付けられるＰＬＭＮ識別子（例えば、ＰＬＭＮ  ＩＤ）を送信する。ＰＬＭＮ識別子は、標的ＢＳによって、認証情報を決定する際に使用するための一意の標的セル識別子を決定するために使用されてもよい。本一意の標的セル識別子はまた、ＵＥと標的ＢＳとの間の通信のために使用される、セキュリティキーを決定するために利用されてもよい。しかしながら、ソースＢＳは、ＰＬＭＮ識別子がソースＢＳから標的ＢＳに送信されるハンドオーバ要求メッセージ内にすでに含まれるとき、ＰＬＭＮ識別子を標的ＢＳに示す必要がない場合がある。ある実施形態では、ＰＬＭＮ識別子は、ハンドオーバ要求メッセージ内に含まれる、標的セルＣＧＩのＰＬＭＮ  ＩＤ（セルグローバルＩＤ）である。
【００８０】
ある実施形態では、認証情報（例えば、ｓｈｏｒｔＭＡＣ−Ｉ）の決定のために利用される、セル識別子は、上記の例示的技法の組み合わせから決定または識別されてもよい。例えば、認証情報（例えば、ｓｈｏｒｔＭＡＣ−Ｉ）の決定のために利用される、セル識別子は、第１の例示的技法および第４の例示的技法の組み合わせから決定または識別されてもよい。
【００８１】
ある実施形態では、標的ＢＳは、ソースＰＬＭＮ  ＩＤ（例えば、ソースＢＳと関連付けられるＰＬＭＮ  ＩＤ）のものと同一ＰＬＭＮ  ＩＤまたは均等物ＰＬＭＮ  ＩＤを用いて構成されてもよい。特定の実施形態では、ソースＢＳは、第１のＰＬＭＮ  ＩＤ（例えば、ＰＬＭＮ  ＩＤのインデックス化されたリスト内の最低インデックス値を伴うＰＬＭＮ  ＩＤ）と関連付けられるセル識別子を利用して、認証情報を決定してもよい。ソースＢＳは、次いで、利用されるセル識別子とともに、決定された認証情報を標的ＢＳに送信してもよい。
【００８２】
さらなる実施形態では、ＵＥが、ＲＲＣ再確立要求を開始するとき、ＵＥは、標的ＢＳがソースＰＬＭＮ  ＩＤ（例えば、ソースセルと関連付けられるソースＰＬＭＮの識別子）と同一または均等物ＰＬＭＮを有するかどうかを決定してもよい。該当する場合、ＵＥは、認証情報を決定する過程において、ソースＰＬＭＮのものと同一または均等物ＰＬＭＮ  ＩＤを利用して、標的セル識別子を決定してもよい。ある実施形態では、標的セルが、ソースＰＬＭＮ  ＩＤと同一または均等物ＰＬＭＮ  ＩＤを有していない場合、ＵＥは、上記に議論されるように、第１のＰＬＭＮに対応する、セル識別子を利用してもよい。
【００８３】
特定の実施形態では、ＵＥ認証情報が、ソースＢＳによって決定された認証情報に合致しないとき、標的ＢＳは、ソースＢＳとのＵＥコンテキスト情報読出プロシージャを開始してもよい。ソースＢＳは、標的ＢＳによって提供される情報に基づいて、確認を実施してもよい。
【００８４】
ある例示的実施形態では、メッセージまたはＢＳ間の他の通信内で搬送される、データまたは情報は、特定の設定様式においてフォーマットされてもよい。例えば、第１のＢＳは、セル構成情報（例えば、セルに関する構成情報）を搬送するメッセージを第２のＢＳに送信してもよい。セル構成情報は、例えば、セルのシステム情報内に構成されるＰＬＭＮ  ＩＤリスト内の第１のＰＬＭＮ  ＩＤおよび対応するセル識別子（例えば、セルおよび関連付けられるＢＳと関連付けられる、セル識別）を含んでもよい。
【００８５】
本セル構成情報は、以下の例示的表現のうちの１つにおいて表されてもよい。例えば、第１の例示的表現として、ＰＬＭＮ識別子のリスト内の第１のＰＬＭＮ識別子（ＩＤ）は、セルのシステム情報内に見出されるような第１のＰＬＭＮ識別子であってもよい。セル構成情報の第１のＰＬＭＮ識別子（例えば、最低インデックス値を伴うＰＬＭＮ識別子）に対応する、セル識別子（例えば、セルおよび関連付けられるＢＳを伴うセル識別）は、セルのシステム情報内に見出される第１のセル識別子（例えば、最低インデックス値を伴うセル識別子）であってもよい。
【００８６】
ある実施形態では、セル識別子のリスト内の第１のセル識別子（例えば、セルおよび関連付けられるＢＳに関するセル識別）は、セルのシステム情報内に見出されるような第１のセル識別子であってもよい。換言すると、セル構成情報内のＰＬＭＮ識別子のリスト内のＰＬＭＮ識別子またはセル識別子のリスト内のセル識別子の順序は、セル構成情報を送信する、セルのシステム情報内に見出されるものと同一であってもよい。
【００８７】
第２の例示的表現として、インジケータが、セル構成情報内のＰＬＭＮ識別子のリスト内のＰＬＭＮ識別子（ＰＬＭＮ  ＩＤ）と関連付けられてもよい。本インジケータは、対応するＰＬＭＮ識別子がセルのシステム情報内に構成される第１のＰＬＭＮ識別子かどうかを示し得る。本識別子は、種々の実施形態では、随意であってもよい。ある実施形態では、本インジケータは、セル構成情報内のＰＬＭＮ識別子のリスト内のＰＬＭＮ識別子に関して不在であり得る。そのような状況では、不在インジケータに対応する、ＰＬＭＮ識別子は、セルのシステム情報内の第１のＰＬＭＮ識別子ではないと決定され得る。
【００８８】
特定の実施形態では、インジケータが、セル構成情報内のセル識別子のリスト内のセル識別子（例えば、セルおよび関連付けられるＢＳのセル識別）と関連付けられてもよい。本インジケータは、対応するセル識別子がセルのシステム情報内で構成される第１のセル識別子かどうかを示し得る。本識別子は、種々の実施形態では、随意であってもよい。ある実施形態では、本インジケータは、セル構成情報内のセル識別子のリスト内のセル識別子に関して不在であり得る。そのような状況では、不在インジケータに対応する、セル識別子は、セルのシステム情報内の第１のセル識別子ではないと決定され得る。
【００８９】
第３の例示的表現として、第１のＰＬＭＮ識別子（ＩＤ）およびその対応するセル識別子（例えば、セルおよび関連付けられるＢＳのセル識別）が、セル構成情報内で搬送されてもよい（例えば、それとともに含まれる）。これは、ＲＡＮ間ノードインターフェース（例えば、ＢＳ間のインターフェース）のＰＬＭＮ識別子に対応する、セル識別子に加え、セル構成情報内に含まれてもよい。本第３の例示的表現では、セル構成情報を送信する、第１のＢＳ（例えば、ＲＡＮノード１または第１のＢＳ）と、セル構成情報（ＲＡＮノード２）を受信する、第２のＢＳ（例えば、ＲＡＮノード２）との間のインターフェースは、ＰＬＭＮに特有であってもよい。また、第１のＢＳと第２のＢＳとの間のインターフェースは、具体的ＰＬＭＮに関連するメッセージ専用であってもよい。
【００９０】
ある例示的実施形態では、標的ＢＳは、ソースＢＳに、以下の情報、すなわち、標的セル識別子（例えば、標的セルおよび関連付けられる標的ＢＳの識別子）、ＵＥによって送信される認証情報、ＵＥ識別子、ＰＣＩ、および／またはダウンリンクキャリア中心周波数情報（例えば、ダウンリンクにおける進化型ユニバーサルモバイル電気通信システム地上無線アクセス（Ｅ−ＵＴＲＡ）絶対無線周波数チャネル番号（ＥＲＦＣＮ−ＤＬ）またはダウンリンクにおける絶対無線周波数チャネル番号（ＡＲＦＣＮ−ＤＬ））を送信することによって、ＵＥコンテキスト情報をソースＢＳから要求してもよい。ＵＥコンテキスト情報に関する要求を受信する、ソースＢＳは、ＰＣＩおよびダウンリンクキャリア中心周波数情報を使用して、新しいセキュリティキーを導出してもよい。本新しいセキュリティキーは、標的ＢＳと標的ＢＳのセル内のＵＥとの間の通信のために、ソースＢＳまたは標的ＢＳによって、利用されてもよい（ソースＢＳが、新しいセキュリティキーを標的ＢＳに送信するとき）。ＵＥは、独立して、ＰＣＩおよびダウンリンクキャリア中心周波数情報を決定することができることに留意されたい。したがって、ＵＥ、標的ＢＳ、およびソースＢＳはそれぞれ、同一入力パラメータを使用して、新しいセキュリティキーを一貫して決定し得ることが可能である。
【００９１】
ある例示的実施形態では、標的ＢＳと併用するための新しいセキュリティキーは、ソースＢＳ自体において決定されてもよい。例えば、ソースＢＳは、以下のパラメータ、すなわち、ソースセルのＰＣＩおよびソースセルのダウンリンクキャリア中心周波数情報を利用して、新しいセキュリティキーを決定してもよい。随意の実施形態では、ＵＥ識別子（例えば、ＵＥ識別情報）はまた、新しいセキュリティキーを決定するためのパラメータとして利用されてもよい。ＵＥ識別子は、例えば、ＲＲＣ再開プロシージャのための再開識別子（ＩＤ）またはＲＲＣ再確立プロシージャのためにソースＢＳと通信するときにＵＥによって利用されるＣ−ＲＮＴＩを含んでもよい。新しいセキュリティキーは、ＲＲＣ再開プロシージャおよびＲＲＣ再確立プロシージャの両方において、上記で参照される様式でソースＢＳにおいて決定されてもよい。
【００９２】
ハンドオーバ後ＲＲＣ再確立プロシージャの間、新しいセキュリティキーは、上記で参照される様式で、ソースＢＳにおいて決定されてもよい。ソースＢＳは、次いで、（例えば、ハンドオーバ要求メッセージの「ハンドオーバ準備情報」フィールド内で）ハンドオーバ要求メッセージを介して、新しいセキュリティキーを標的ＢＳに送信してもよい。
【００９３】
本発明の種々の実施形態が、上記に説明されているが、それらが、実施例としてのみ、かつ限定としてではなく提示されていることを理解されたい。同様に、種々の図が、例示的アーキテクチャまたは構成を描写し得、これは、当業者が本発明の例示的特徴および機能を理解することを可能にするために提供される。しかしながら、当業者は、本発明が、図示される例示的アーキテクチャまたは構成に制限されず、種々の代替アーキテクチャおよび構成を使用して実装され得ることを理解するであろう。加えて、当業者によって理解されるであろうように、一実施形態の１つ以上の特徴が、本明細書に説明される別の実施形態の１つ以上の特徴と組み合わせられることができる。したがって、本開示の範疇および範囲は、上記に説明される例示的実施形態のうちのいずれかによって限定されるべきではない。
【００９４】
また、「第１」、「第２」等の名称を使用した本明細書での要素または実施形態の任意の呼称が、概して、それらの要素の量または順序を限定するものではないことも理解されたい。むしろ、これらの名称は、本明細書では、２つ以上の要素または要素のインスタンスを区別する便宜的手段として使用されることができる。したがって、第１および第２の要素の呼称は、２つのみの要素が採用され得ること、または第１の要素がある様式で第２の要素の前に起こらなければならないことを意味するものではない。
【００９５】
加えて、当業者は、情報および信号が、種々の異なる技術および技法のうちのいずれかを使用して表され得ることを理解するであろう。例えば、上記の説明内で参照され得る、例えば、データ、命令、コマンド、情報、信号、ビット、およびシンボルが、電圧、電流、電磁波、磁場または粒子、光学場または粒子、またはそれらの任意の組み合わせによって表されることができる。
【００９６】
当業者はさらに、本明細書に開示される側面に関連して説明される、種々の例証的論理ブロック、モジュール、プロセッサ、手段、回路、方法、および機能のいずれかが、電子ハードウェア（例えば、デジタル実装、アナログ実装、またはその２つの組み合わせ）、ファームウェア、（本明細書では、便宜上、「ソフトウェア」または「ソフトウェアモジュール」と称され得る）命令を組み込む種々の形態のプログラムまたは設計コード、またはこれらの技法の任意の組み合わせによって実装され得ることを理解するであろう。ハードウェア、ファームウェア、およびソフトウェアの本置換性を明確に例証するために、種々の例証的コンポーネント、ブロック、モジュール、回路、およびステップが、概して、それらの機能性の観点から上記に説明される。そのような機能性がハードウェア、ファームウェアまたはソフトウェア、またはこれらの技法の組み合わせとして実装されるかどうかは、システム全体に課される特定の用途および設計制約に依存する。当業者は、説明される機能性を特定の用途毎に種々の方法で実装することができるが、そのような実装の決定は、本開示の範囲からの逸脱を生じさせるものではない。
【００９７】
さらに、当業者は、本明細書に説明される、種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、またはそれらの任意の組み合わせを含み得る、集積回路（ＩＣ）の中に実装される、またはそれによって実施され得ることを理解するであろう。論理ブロック、モジュール、および回路はさらに、アンテナおよび／または送受信機を含み、ネットワーク内または本デバイス内の種々のコンポーネントと通信することができる。汎用プロセッサは、マイクロプロセッサであり得るが、代替として、プロセッサは、任意の従来のプロセッサ、コントローラ、または状態機械であり得る。プロセッサはまた、コンピューティングデバイスの組み合わせ、例えば、ＤＳＰとマイクロプロセッサとの組み合わせ、複数のマイクロプロセッサ、ＤＳＰコアと併せた１つ以上のマイクロプロセッサ、または任意の他の好適な構成の組み合わせとして実装され、本明細書に説明される機能を実施することができる。
【００９８】
ソフトウェアの中に実装される場合、機能は、コンピュータ可読媒体上に１つ以上の命令またはコードとして記憶されることができる。したがって、本明細書に開示される方法またはアルゴリズムのステップは、コンピュータ可読媒体上に記憶されるソフトウェアとして実装されることができる。コンピュータ可読媒体は、１つの地理的場所から別のものにコンピュータプログラムまたはコードを移送させることが可能にされ得る任意の媒体を含む、コンピュータ記憶媒体と、通信媒体との両方を含む。記憶媒体は、コンピュータによってアクセスされ得る、任意の利用可能な媒体であり得る。実施例として、限定ではなく、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージ、または他の磁気記憶デバイス、または所望のプログラムコードを命令またはデータ構造の形態で記憶するために使用され得、かつコンピュータによってアクセスされ得る、任意の他の媒体を含むことができる。
【００９９】
本書では、本明細書において使用されるような、用語「モジュール」は、本明細書に説明される関連付けられる機能を実施するためのソフトウェア、ファームウェア、ハードウェア、およびこれらの要素の任意の組み合わせを指す。加えて、議論の目的のために、種々のモジュールが、離散モジュールとして説明されているが、しかしながら、当業者に明白となるであろうように、２つ以上のモジュールが、組み合わせられ、本発明の実施形態に従って関連付けられる機能を実施する、単一モジュールを形成し得る。
【０１００】
加えて、本書において説明される機能のうちの１つ以上のものが、概して、メモリ記憶デバイスまたはストレージユニット等の媒体を指すために本明細書において使用される「コンピュータプログラム製品」、「コンピュータ可読媒体」、および同等物内に記憶される、コンピュータプログラムコードを用いて実施され得る。これらおよび他の形態のコンピュータ可読媒体は、プロセッサに規定された動作を実施させるための、プロセッサによる使用のための１つ以上の命令を記憶するステップに関わり得る。そのような命令は、概して、「コンピュータプログラムコード」（コンピュータプログラムの形態または他のグルーピングに群化され得る）と称され、これは、実行されると、コンピューティングシステムが所望の動作を実施することを可能にする。
【０１０１】
加えて、メモリまたは他のストレージ、および通信コンポーネントも、本発明の実施形態に採用され得る。明確化の目的のために、上記の説明が、異なる機能ユニットおよびプロセッサを参照して本発明の実施形態を説明していることを理解されたい。しかしながら、異なる機能ユニット、処理論理要素、またはドメイン間の機能性の任意の好適な分布が、本発明を損なうことなく使用され得ることが明白となるであろう。例えば、別個の処理論理要素またはコントローラによって実施されるように例証される機能性が、同一の処理論理要素またはコントローラによって実施されてもよい。故に、具体的機能ユニットの呼称は、厳密な論理または物理的構造または編成を示すのではなく、説明される機能性を提供するための好適な手段の呼称にすぎない。
【０１０２】
本開示に説明される実装への種々の修正が、当業者に容易に明白となり、本明細書に定義される一般的原理が、本開示の範囲から逸脱することなく、他の実装に適用されることができる。したがって、本開示は、本明細書に示される実装に限定されるように意図せず、下記の請求項に列挙されるような、本明細書に開示される新しい特徴および原理と一貫した、最も幅広い範囲と調和されるべきである。
【図１】
2022501926.tif 000003
【図２】
2022501926.tif 000004
【図３Ａ】
2022501926.tif 000005
【図３Ｂ】
2022501926.tif 000006
【図３Ｃ】
2022501926.tif 000007
【図４】
2022501926.tif 000008
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
通信ノードによって実施される方法であって、
通信デバイスと以前の通信ノードとの間の以前の接続と関連付けられる現在の接続を確立するための要求を通信デバイスから受信することであって、前記要求は、通信デバイス発生認証情報を含む、ことと、
前記通信デバイスのコンテキスト情報を読み出すために、前記以前の通信ノードにメッセージを送信することであって、前記メッセージは、通信ノード発生認証情報を決定するために、前記通信ノードのシステム情報において示される第１の地上波公共移動通信ネットワーク（ＰＬＭＮ）に対応するセル識別子（ＩＤ）を含む、ことと、
前記通信ノード発生認証情報が前記通信デバイス発生認証情報に合致することの決定に基づいて、前記現在の接続を確立することであって、前記通信ノード発生認証情報は、入力パラメータの所定のサブセットに基づいている、ことと
を含む、方法。
【請求項２】
前記通信ノードにおいて前記決定を実施することをさらに含む、請求項１に記載の方法。
【請求項３】
前記現在の接続は、無線リソース制御（ＲＲＣ）接続である、請求項１に記載の方法。
【請求項４】
前記以前の通信ノードから応答メッセージを読み出すことをさらに含み、前記応答メッセージは、前記通信デバイスの前記コンテキスト情報を含む、請求項１に記載の方法。
【請求項５】
前記入力パラメータの所定のサブセットは、前記通信ノードの前記システム情報からの第１のＰＬＭＮ値に基づく、請求項１に記載の方法。
【請求項６】
前記決定は、前記以前の通信ノードにおいて実施される、請求項１に記載の方法。
【請求項７】
前記入力パラメータの所定のサブセットは、前記セルＩＤの値に基づく、請求項１に記載の方法。
【請求項８】
通信ノードであって、
送受信機であって、前記送受信機は、
通信デバイスと以前の通信ノードとの間の以前の接続と関連付けられる現在の接続を確立するための要求を通信デバイスから受信することであって、前記要求は、通信デバイス発生認証情報を含む、ことと、
前記通信デバイスのコンテキスト情報を読み出すために、前記以前の通信ノードにメッセージを送信することであって、前記メッセージは、通信ノード発生認証情報を決定するために、前記通信ノードのシステム情報において示される第１の地上波公共移動通信ネットワーク（ＰＬＭＮ）に対応するセル識別子（ＩＤ）を含む、ことと
を行うように構成されている、送受信機と、
少なくとも１つのプロセッサであって、前記少なくとも１つのプロセッサは、
前記通信ノード発生認証情報が前記通信デバイス発生認証情報に合致することの決定に基づいて、前記現在の接続を確立することであって、前記通信ノード発生認証情報は、入力パラメータの所定のサブセットに基づいている、こと
を行うように構成されている、少なくとも１つのプロセッサと
を備える、通信ノード。
【請求項９】
前記少なくとの１つのプロセッサは、前記決定を実施するように構成されている、請求項８に記載の通信ノード。
【請求項１０】
前記現在の接続は、無線リソース制御（ＲＲＣ）接続である、請求項８に記載の通信ノード。
【請求項１１】
前記送受信機は、
前記以前の通信ノードから応答メッセージを読み出すように構成されており、前記応答メッセージは、前記通信デバイスの前記コンテキスト情報を含む、請求項８に記載の通信ノード。
【請求項１２】
前記入力パラメータの所定のサブセットは、前記通信ノードの前記システム情報からの第１のＰＬＭＮ値に基づく、請求項８に記載の通信ノード。
【請求項１３】
前記決定は、前記以前の通信ノードにおいて実施される、請求項８に記載の通信ノード。
【請求項１４】
前記入力パラメータの所定のサブセットは、前記セルＩＤの値に基づく、請求項８に記載の通信ノード。
【請求項１５】
非一過性コンピュータ可読媒体であって、請求項１−７に記載の方法のうちの任意の１つを行うためのその上に記憶されるコンピュータ実行可能命令を有する、非一過性コンピュータ可読媒体。
【手続補正２】
【補正対象書類名】明細書
【補正対象項目名】０００８
【補正方法】変更
【補正の内容】
【０００８】
さらなる実施形態では、通信デバイスは、入力パラメータの所定のサブセットに基づいて、通信デバイス認証情報を生成するように構成される、プロセッサと、通信ノードに、通信デバイスと以前の通信ノードとの間の以前の接続と関連付けられる現在の接続を確立するための要求を送信するように構成され、要求は、通信デバイス認証情報を備え、通信ノードは、通信ノード認証情報が通信デバイス認証情報に合致することの決定に基づいて、現在の接続を確立するように構成され、通信ノード認証情報は、入力パラメータの所定のサブセットに基づき、決定は、通信ノードまたは以前の通信ノードにおいて実施される、送受信機とを含む。
（項目１）
通信ノードによって実施される方法であって、
通信デバイスと以前の通信ノードとの間の以前の接続と関連付けられる現在の接続を確立するための要求を通信デバイスから受信することであって、上記要求は、通信デバイス認証情報を備える、ことと、
通信ノード認証情報が上記通信デバイス認証情報に合致することの決定に基づいて、上記現在の接続を確立することであって、上記通信ノード認証情報は、入力パラメータの所定のサブセットに基づいており、上記決定は、上記通信ノードまたは上記以前の通信ノードにおいて実施される、ことと
を含む、方法。
（項目２）
上記以前の通信ノードからのハンドオーバ要求メッセージの受信に応答して、上記決定を実施することをさらに含む、項目１に記載の方法。
（項目３）
上記現在の接続は、無線リソース制御（ＲＲＣ）接続である、項目１に記載の方法。
（項目４）
上記通信ノード認証情報は、それぞれが上記入力パラメータの所定のサブセットに基づく複数の通信ノード認証情報セットのうちの１つであり、上記決定は、上記複数の通信ノード認証情報セットのうちの１つに合致する上記通信デバイス認証情報に基づく、項目１に記載の方法。
（項目５）
上記入力パラメータの所定のサブセットは、上記通信ノードまたは上記以前の通信ノードのいずれかのシステム情報からの地上波公共移動通信ネットワーク値に基づく、項目１に記載の方法。
（項目６）
上記地上波公共移動通信ネットワーク値は、最大地上波公共移動通信ネットワーク値、最小地上波公共移動通信ネットワーク値、および最小インデックス値と関連付けられる地上波公共移動通信ネットワーク値のうちの少なくとも１つである、項目５に記載の方法。
（項目７）
上記入力パラメータの所定のサブセットは、上記通信ノードのシステム情報からのセル識別子値に基づく、項目１に記載の方法。
（項目８）
上記セル識別子値は、最大セル識別子値、最小セル識別子値、および最小インデックス値と関連付けられるセル識別子値のうちの少なくとも１つである、項目７に記載の方法。
（項目９）
上記通信デバイスは、上記入力パラメータの所定のサブセットに基づいて、上記通信デバイス認証情報を生成するように構成される、項目１に記載の方法。
（項目１０）
上記入力パラメータの所定のサブセットは、上記以前の通信ノードから受信されたメッセージに基づく、項目１に記載の方法。
（項目１１）
通信デバイスによって実施される方法であって、
入力パラメータの所定のサブセットに基づいて、通信デバイス認証情報を生成することと、
通信ノードに、上記通信デバイスと以前の通信ノードとの間の以前の接続と関連付けられる現在の接続を確立するための要求を送信することであって、上記要求は、上記通信デバイス認証情報を備え、上記通信ノードは、
通信ノード認証情報が上記通信デバイス認証情報に合致することの決定に基づいて、上記現在の接続を確立するように構成され、上記通信ノード認証情報は、上記入力パラメータの所定のサブセットに基づいており、上記決定は、上記通信ノードまたは上記以前の通信ノードにおいて実施される、ことと
を含む、方法。
（項目１２）
上記入力パラメータの所定のサブセットは、上記以前の通信ノードから受信されたメッセージ内のデータの配列順序に基づく、項目１１に記載の方法。
（項目１３）
上記現在の接続は、無線リソース制御（ＲＲＣ）接続である、項目１１に記載の方法。
（項目１４）
上記入力パラメータの所定のサブセットは、上記現在の接続を確立するための上記通信デバイスからの要求内で識別される、項目１１に記載の方法。
（項目１５）
上記要求は、無線リソース制御再開要求、無線リソース制御再確立要求、およびハンドオーバ後無線リソース制御再確立要求のうちの１つである、項目１１に記載の方法。
（項目１６）
非一過性コンピュータ可読媒体であって、項目１−１５に記載の方法のうちの任意の１つを行うためのその上に記憶されるコンピュータ実行可能命令を有する、非一過性コンピュータ可読媒体。
（項目１７）
通信ノードであって、
送受信機であって、上記送受信機は、
通信デバイスと以前の通信ノードとの間の以前の接続と関連付けられる現在の接続を確立するための要求を通信デバイスから受信するように構成され、上記要求は、通信デバイス認証情報を備える、送受信機と、
少なくとも１つのプロセッサであって、上記少なくとも１つのプロセッサは、
通信ノード認証情報が上記通信デバイス認証情報に合致することの決定に基づいて、上記現在の接続を確立するように構成され、上記通信ノード認証情報は、入力パラメータの所定のサブセットに基づいており、上記決定は、上記通信ノードまたは上記以前の通信ノードにおいて実施される、少なくとも１つのプロセッサと
を備える、通信ノード。
（項目１８）
上記現在の接続は、無線リソース制御（ＲＲＣ）接続である、項目１７に記載の通信ノード。
（項目１９）
上記通信ノード認証情報は、それぞれが上記入力パラメータの所定のサブセットに基づく複数の通信ノード認証情報セットのうちの１つであり、上記決定は、上記複数の通信ノード認証情報セットのうちの１つに合致する上記通信デバイス認証情報に基づく、項目１７に記載の通信ノード。
（項目２０）
上記入力パラメータの所定のサブセットは、上記通信ノードのシステム情報からの地上波公共移動通信ネットワーク値に基づく、項目１７に記載の通信ノード。
（項目２１）
上記入力パラメータの所定のサブセットは、上記通信ノードのシステム情報からのセル識別子値に基づく、項目１７に記載の通信ノード。
（項目２２）
上記通信デバイスは、上記入力パラメータの所定のサブセットに基づいて、上記通信デバイス認証情報を生成するように構成される、項目１７に記載の通信ノード。
（項目２３）
通信デバイスであって、
プロセッサであって、上記プロセッサは、
入力パラメータの所定のサブセットに基づいて、通信デバイス認証情報を生成するように構成される、プロセッサと、
送受信機であって、上記送受信機は、
通信ノードに、通信デバイスと以前の通信ノードとの間の以前の接続と関連付けられる現在の接続を確立するための要求を送信するように構成され、上記要求は、上記通信デバイス認証情報を備え、上記通信ノードは、
通信ノード認証情報が上記通信デバイス認証情報に合致することの決定に基づいて、上記現在の接続を確立するように構成され、上記通信ノード認証情報は、上記入力パラメータの所定のサブセットに基づいており、上記決定は、上記通信ノードまたは上記以前の通信ノードにおいて実施される、送受信機と
を備える、通信デバイス。
（項目２４）
上記入力パラメータの所定のサブセットは、上記以前の通信ノードから受信されたメッセージ内のデータの配列順序に基づく、項目２３に記載の通信デバイス。
（項目２５）
上記現在の接続は、無線リソース制御（ＲＲＣ）接続である、項目２３に記載の通信デバイス。
（項目２６）
上記入力パラメータの所定のサブセットは、上記現在の接続を確立するための上記通信デバイスからの要求内で識別される、項目２３に記載の通信デバイス。
（項目２７）
上記要求は、無線リソース制御再開要求、無線リソース制御再確立要求、およびハンドオーバ後無線リソース制御再確立要求のうちの１つである、項目２３に記載の通信デバイス。
【国際調査報告】
2022501926.tif 000009
2022501926.tif 000010